(57)【要約】 【課題】  排水管の立上り上端部の臨出高さの高さ調整が不要で、熟練を要さず且つ細心の注意も必要とせず、何人も簡易迅速且つ正確に取り付けし得る排水トラップを提供する。【解決手段】  排水管の立上り上端部５１を臨出させる貫通孔６２を開口した床面６に直付けするもので、床面上に配備され面内に貫通孔に連通する内孔１１を有する床面固定板１と、床面固定板の上方に配備され排水管の臨出高さを吸収する立上り高さ吸収手段３とから成り、立上り高さ吸収手段は床面固定板の上面に立設され内孔に連通する外筒４と、外筒に内嵌され且つ上端部の天板部２１を介して外筒に連繋され、外筒との間に排水管の立上り上端部が嵌入する所定深さの嵌入溝３Ａを設ける上下開口の内筒２とから成る排水トラップ。【選択図】          図１
2011106225.tif 000002
【特許請求の範囲】
【請求項１】
排水管の立上り上端部を臨出させる貫通孔を開口した床面に直付けするものであって、床面上に配備され面内に貫通孔に連通する内孔を有する床面固定板と、床面固定板の上方に配備され排水管の臨出高さを吸収する立上り高さ吸収手段とから成り、この立上り高さ吸収手段は床面固定板の上面に立設され内孔に連通する外筒と、外筒に内嵌され且つ上端部の天板部を介して外筒に連繋され、外筒との間に排水管の立上り上端部が嵌入する所定深さを有する嵌入溝を設ける上下開口の内筒とから成る排水トラップ。
【請求項２】
前記外筒は、基端が床面固定板に固定され、先端が天板部の裏面に固定されたジャバラ状筒体であり、排水管の立上り上端部の臨出高さに応じて伸縮するものであることを特徴とする請求項１記載の排水トラップ。
【請求項３】
前記外筒を内周面にネジを設けたネジ筒とし、天板部の端面にネジ筒に螺合するネジ部を設けて、内筒の回動で内筒が昇降するものであることを特徴とする請求項１記載の排水トラップ。
【発明の詳細な説明】
【技術分野】
【０００１】
この発明は、排水トラップに関する。
【背景技術】
【０００２】
図６は、従来の排水トラップを示している。この排水トラップは、排水管５の立上り上端部５１を臨出させる貫通孔６２を開口した床面６に直付けするもので、床面６の表面６１に載置される床面固定板７１と、床面固定板７１の裏面に下方へ突設される外筒７２と、外筒７２の内側に配備された上下開口の内筒７３とから成る。
【０００３】
排水管５の立上がり上端部５１は、床面固定板７１の裏面を溝底とする内筒７３と外筒７２との嵌合隙間７４に嵌入して接着固定され、且つ床面固定板７１が床面６にビス固定される。この状態において、上下開口の内筒７３の上方に固定されるエルボ７５は、内筒７３に内嵌するシューター７６及び椀体７７に連通している。
【０００４】
この状態で、エルボ７５に接続する例えば洗濯機ホースから吐き出される洗濯水は、シューター７６を介して椀体７７に進入し、シューター７６と椀体７７間の隙間を上昇して、椀体７７の排水口７７ａから排水管５へ流出する。
【特許文献１】特開平９−２０９４３１号公報
【発明の開示】
【発明が解決しようとする課題】
【０００５】
直付け排水トラップでは、予め床面に貫通孔が開口され、且つ貫通孔には排水管の立上り上端部が臨出するように施工してある。一般に、この施工は粗く、通常は排水管の立上り上端部が床面高さより上方へ突出しているのが通常である。  
【０００６】
一方、床面固定板の裏面が排水管の嵌入溝底であり、嵌入溝底は床面表面と面一に設定してある。このため、排水管の立上り上端部を床面表面と面一高さ、すなわち嵌入溝底と同一高さにカットしなければならない。
【０００７】
このカット作業は、カット精度が要求されると共に床面表面を傷つけることがないように、細心の注意と熟練を要するため、作業が煩わしく時間と労力を必要とする等、排水トラップ取り付け上の大きな不便があった。
【０００８】
この発明は、以上のような課題を解消させ、排水管の立上り上端部の臨出高さ
の高さ調整が不要で、熟練を要さず且つ細心の注意も必要とせず、何人でも簡易
迅速、且つ正確に取付けし得る排水トラップを提供することを目的とする。
【課題を解決するための手段】
【０００９】
この目的を達成させるために、この発明の排水トラップでは、次のような構成としている。
排水トラップは、排水管の立上り上端部を臨出させる貫通孔を開口した床面に直付けするものであって、床面上に配備され面内に貫通孔に連通する内孔を有する床面固定板と、床面固定板の上方に配備され排水管の臨出高さを吸収する立上り高さ吸収手段とから成り、この立上り高さ吸収手段は床面固定板の上面に立設され内孔に連通する外筒と、外筒に内嵌され且つ上端部の天板部を介して外筒に連繋され、外筒との間に排水管の立上り上端部が嵌入する所定深さの嵌入溝を設ける上下開口の内筒とから成ることを特徴としている。
【発明の効果】
【００１０】
このような構成を有する排水トラップでは、床面表面に接面して配備され、床面の貫通孔に連通する内孔を有する床面固定板の上方に、排水管の立上り上端部を嵌入させる外筒と内筒とから成る所定深さの嵌入溝を備える立上り高さ吸収手段を配備することとしたから、貫通孔に臨出する排水管の立上り上端部の立ち上がり高さが床面高さより上方へ出っ張っている場合、この立上り上端部は嵌入溝に嵌入する。従って、床面表面（貫通孔端面）より上方へ突出した余分な上端部をカットする煩わしい作業が解消され、何人も極めて容易迅速且つ正確に排水トラップを取り付けし得る。
【００１１】
また、立上り高さ吸収手段を構成する外筒がジャバラ状筒体である場合は、外筒の伸縮により嵌入溝高さが変位するから、排水管の立上り上端部のさまざまな臨出高さを広範囲に且つ適正に吸収し得る。
【００１２】
更に、立上り高さ吸収手段を構成する外筒と内筒との間をネジ部で連繋させた場合においても、内筒（ネジ部）の回動操作で嵌入溝高さを適宜変更し得るから、排水管の立上り上端部のさまざまな臨出高さを広範囲に且つ適正に吸収し得る等、発明目的を達成した優れた効果を有する。
【発明を実施するための最良の形態】
【００１３】
以下、図面に基づき本発明に係る排水トラップの具体的な実施の形態を説明する。
図１は、排水トラップを示す断面図である。
排水トラップは、床面６上に固定する床面固定板１と、床面固定板１の上方に配備されるエルボＢと、床面固定板１の下方に配備されるシューターＤを内嵌した椀体Ｃと、エルボＢを後述する内筒２の天板部２１に固定するロックナットＥと、床面固定板１の上方に配備され排水管５の臨出高さを吸収する立上り高さ吸収手段３とから成る。
【００１４】
床面６には、予め排水トラップ取り付け位置に貫通孔６２が開設してあり、床面６下方に位置する排水管５の立上り上端部５１が貫通孔６２に臨出するように施工してある。上記床面固定板１は、この床面６の貫通孔６２に対応する位置（表面６１）に接面状に配備される。
【００１５】
上記床面固定板１は、面内に貫通孔６２径と同一径の内孔１１を有する平板状の円板で、貫通孔６２と内孔１１が連通する状態で床表面６１にビス固定される。
【００１６】
前記排水管５の立上り上端部５１の立上り高さ吸収手段３は、床面固定板１の上面に立設され内孔（貫通孔６２）１１に連通する外筒４と、外筒４に内嵌され且つ筒上端部の天板部２１を介して外筒４に連繋し、外筒４との間に排水管５の立上り上端部５１が嵌入する嵌入溝３Ａを設ける上下開口の内筒２とから成る。
【００１７】
内筒２と外筒４とは、内筒２上端のフランジ状の天板部２１で連続している。したがって、この天板部２１の裏面側が所定深さを有する嵌入溝３Ａの溝底となる。更に、天板部２１の上面周縁には外周面にネジを設けたネジ筒２２を立設し、前記ロックナットＥと螺着しエルボＢを固定する。
【００１８】
前記外筒４は、下端が床面固定板１に固定され、上端が天板部２１の裏面に固定されたジャバラ状筒体４１に設定され、排水管５の立上り上端部５１の臨出高さに応じて外筒４１が伸縮する。
【００１９】
上記内筒２には、筒内にシューターＤを内嵌した椀体Ｃの上周部を係止すると共に、天板部２１の上面にエルボＢの下周縁部を載置している。従って、外筒４の伸縮に即応して椀体Ｃ、エルボＢ、内筒２が一体に昇降し、嵌入溝３Ａの高さ位置が上下動する。
【００２０】
図３は、排水管５の立上り上端部５１の立上り高さ吸収手段３の他の具体的な実施の形態を示す要部説明図である。
この実施の形態では、外筒４を内周面にネジを設けたネジ筒４２とし、厚みの大きい天板部２１の端面にネジ筒４２に螺合するネジ部２３を設けている。内筒２を回動させることで、天板部２１上面のネジ筒２２ロックナットＥで固定されるエルボＢ等（図示せず）と一体に内筒２が昇降し（図中、仮想線参照）、嵌入溝３Ａの高さ位置が変位する。
【００２１】
図４は、排水管５の立上り上端部５１の立上り高さ吸収手段３の更に他の具体的な実施の形態を示す要部説明図である。
この実施の形態は、上記図３で示したネジ昇降式立上り高さ吸収手段の変形例である。すなわち、天板部２１の端部に介在ネジ筒部２４を設け、この介在ネジ筒部２４を外筒（ネジ筒４２）４に螺合させ、内筒２の回動操作で内筒２が昇降し（図中、仮想線参照）、嵌入溝３Ａの高さ位置を変位させ得る。
【００２２】
図５は、排水管５の立上り上端部５１の立上り高さ吸収手段３の他の具体的な実施の形態を示す要部説明図である。
先の実施の形態では、いずれも昇降式の立上り高さ吸収手段３を示したか、この実施の形態では、固定式の立上り高さ吸収手段３を示している。
【００２３】
すなわち、下端が床面の裏面より下方へ伸びた内筒２の上端と外筒４の上端とを天板部２１で連結したもので、所定深さを有する嵌入溝３Ａの高さが固定タイプのものを示している。排水管５の立上り上端部５１が床面６から大きく上方へ突出する場合は、この所定深さを有する固定式の嵌入溝３Ａ内で吸収される（図中、仮想線参照）。
【００２４】
このような構成を有する排水トラップの取り付けに際しては、予め床面６に開設した貫通孔６２に排水管５の立上り上端部５１が臨出施工されている。従って、立上り吸収手段３の嵌入溝３Ａ下端と立上り上端部５１とを合わせ、立上り上端部５１を嵌入させる。ここで、排水管５の施工精度が良ければ立上り上端部５１の上端が床表面６１と面一高さであり（図４、図５参照）、カット及び嵌入溝高さ調整を一切要せず取付け得る。
【００２５】
一方、排水管５の施工制度が悪く、立上り上端部５１が床面６より上方へ突出し、床面固定板１を床表面６１に接面状に固定し得ない場合（図２、図３参照）、例えば図２では立上り上端部５１の先端を嵌入溝３Ａの溝底（天板部２１裏面）に突き当てた状態で、ジャバラ状外筒４１を下方へ引っ張ることで伸長する。従って、床面固定板１は立上り上端部５１の出っ張り高さに関わらず、床面６表面６１に接面状にビス固定できる。
【００２６】
また、図３では、内筒２の回動操作して、立上り上端部５１の上端高さに合わせて嵌入溝３Ａ高さを調整する。これにより、排水管５の立上り上端部５１の突出部分をカットする必要がなく、簡易迅速に且つ正確に排水トラップを取り付け得る。
【図面の簡単な説明】
【００２７】
【図１】実施の形態の排水トラップを示す断面図である。
【図２】実施の形態の排水トラップの作用状態を示す断面図である。
【図３】他の実施の形態の排水トラップを示す要部説明図である。
【図４】更に他の実施の形態の排水トラップを示す要部説明図である。
【図５】更に他の実施の形態の排水トラップを示す要部説明図である。
【図６】従来の排水トラップを示す断面図である。
【符号の説明】
【００２８】
１      床面固定板
２      内筒
３      立上り高さ吸収手段
４      外筒
５      排水管
６      床面  
１１    内孔
２１    天板部
２２    ネジ筒
３Ａ    嵌入溝
４１    ジャバラ筒
４２    ネジ筒
５１    立上り上端部
６１    表面
６２    貫通孔
Ｂ      エルボ
Ｃ      椀体
Ｄ      シューター
Ｅ      ロックナット
【図１】
2011106225.tif 000003
【図２】
2011106225.tif 000004
【図３】
2011106225.tif 000005
【図４】
2011106225.tif 000006
【図５】
2011106225.tif 000007
【図６】
2011106225.tif 000008